(57)【特許請求の範囲】
【請求項１】
音声情報を入力または出力可能な周辺装置が１または複数個接続されている情報処理装置において、
前記各周辺装置に設定された入力または出力に関する音量設定情報を複数記憶できる音量設定情報記憶手段と、
音量再設定が有効となったとき、前記音量設定情報記憶手段に記憶されている音量設定情報を参照し、参照した音量設定情報に従って前記周辺装置の音量を再設定する音量再設定制御手段とを備え、
前記音量設定情報記憶手段には、前記各周辺装置に設定されている音量設定情報が任意の時刻情報と本装置にインストールされているプログラムとに関連付けられて記憶されており、
前記音量再設定制御手段は、音量再設定が有効となったときの時刻を取得し、取得した時刻と前記音量設定情報記憶手段に記憶されている時刻情報とを比較し、取得した時刻を含む時刻情報がある場合には、その時刻情報に関連付けられているプログラムと最も実行優先度が高いプログラムとを比較し、一致するプログラムがある場合には、そのプログラムに関連付けられている音量設定情報を前記周辺装置の音量として再設定することを特徴とする音量調節機能付き情報処理装置。
【請求項２】
前記音量設定情報記憶手段には、登録されている複数の使用者ごとに音量設定情報が記憶されていることを特徴とする請求項１に記載の音量調節機能付き情報処理装置。
【請求項３】
前記音量再設定制御手段は、前記音量設定情報記憶手段への音量設定情報の再設定処理を行った後、再設定処理が完了したことを使用者に報知する報知手段を備えたことを特徴とする請求項１または請求項２に記載の音量調節機能付き情報処理装置。
【請求項４】
前記報知手段が完了を知らせる音または音声を報知する音報知手段および／または完了メッセージを表示する表示手段であることを特徴とする請求項３に記載の音量調節機能付き情報処理装置。
【発明の詳細な説明】
【０００１】
【発明の属する技術分野】
本発明は、音量調節機能付き情報処理装置に係り、より詳細には、簡単な操作で音量調整が可能な音量調節機能付き情報処理装置に関する。
【０００２】
【従来の技術】
現在、パーソナルコンピュータ等に代表される情報処理装置においては、音声情報を入力または出力できる周辺装置が複数個接続されていることが多い。例えば、ＣＤ再生装置、内蔵シンセサイザ、音声入力対応型モデムや外部音声入出力装置等、音声情報を扱うことができる様々な周辺装置が接続されている。
【０００３】
これら周辺装置が扱う音声情報は、ＣＤ再生装置のように記録メディアに記録されている音声情報がデジタルデータであるためにダイナミックレンジが大きいものから、音声入力対応型モデムや外部音声入出力装置のようにアナログデータを扱うためにダイナミックレンジのが小さいものなど、音声情報が持つ音量は様々である。
【０００４】
また、扱われる音声情報の種類も、音楽のように情報処理装置の使用者にとって心地よいものから、モデムがネットワーク接続事業者へ接続するときの接続音など限りなく雑音に近いものまで、様々な種類の音声情報が存在する。
【０００５】
このような多種多様の各音声情報を、情報処理装置の使用者にとって最適な音量に調整できるようにするために、従来より、オペレーティングシステムにより周辺装置ごとに音量を設定する機能が提供されている。
【０００６】
【発明が解決しようとする課題】
しかし、オペレーティングシステムは周辺装置ごとに単一の音量設定しか記憶できないため、各周辺装置に設定されている音量はその設定を変更しない限り同じ音量になっている。
【０００７】
従って、情報処理装置の使用者は、情報処理装置の利用目的に応じて周辺装置ごとに音量を再設定する必要があるが、この再設定作業が非常に面倒な作業となっているといった問題があった。
【０００８】
本発明は係る問題点を解決すべく創案されたもので、その目的は、情報処理装置の利用目的や利用環境に応じた使用者にとっての最適な音量設定を、極めて簡単な操作で実現することのできる音量調節機能付き情報処理装置を提供することにある。
【０００９】
【課題を解決するための手段】
本発明の音量調節機能付き情報処理装置は、音声情報を入力または出力可能な周辺装置が１または複数個接続されている情報処理装置において、前記各周辺装置に設定された入力または出力に関する音量設定情報を複数記憶できる音量設定情報記憶手段と、この音量設定情報記憶手段への音量設定情報の記憶を指示する音量記憶指示手段と、この音量記憶指示手段の指示により音量設定記憶が有効となったとき、前記各周辺装置に設定されている音量設定情報を前記音量設定情報記憶手段に記憶する音量設定記憶制御手段とを備えたことを特徴とする。
【００１０】
このような特徴を有する本発明によれば、音量設定記憶制御手段は、音量記憶指示手段の指示により音量設定記憶が有効となったとき、各周辺装置に設定されている音量設定情報を音量設定情報記憶手段に自動的に記憶するので、使用者は、音量記憶指示手段を操作するだけの簡単な操作で、音量設定情報を記憶させることができる。
【００１１】
また、本発明の音量調節機能付き情報処理装置によれば、前記音量設定記憶制御手段は、前記各周辺装置に設定されている音量設定情報と任意の時刻情報とを関連付けて前記音量設定情報記憶手段に記憶することを特徴とする。
【００１２】
このような特徴を有する本発明によれば、時刻情報を考慮した音量設定情報を音量設定情報記憶手段に記憶させることができる。
【００１３】
また、本発明の音量調節機能付き情報処理装置によれば、前記音量設定記憶制御手段は、前記音量記憶指示手段の指示により音量設定記憶が有効となったときの時刻と前記各周辺装置の音量レベルとを取得し、取得した時刻と前記音量設定情報記憶手段に記憶されている時刻情報とを比較し、取得した時刻を含む時刻情報がある場合には、その時刻情報に関連付けられている音量設定情報を前記取得した音量レベルの情報に更新記憶することを特徴とする。
【００１４】
このような特徴を有する本発明によれば、時刻情報に応じて記憶する音量設定情報を変えることができるので、利用目的および利用環境に合わせて、周辺装置の音量設定を行うことができる。
【００１５】
また、本発明の音量調節機能付き情報処理装置によれば、前記音量設定記憶制御手段は、前記音量記憶指示手段の指示により音量設定記憶が有効となったときの時刻と前記各周辺装置の音量レベルとを取得し、取得した時刻と前記音量設定情報記憶手段に記憶されている時刻情報とを比較し、取得した時刻を含む時刻情報がない場合には、その取得した時刻を含む時刻情報と前記取得した音量レベルとを新たな音量設定情報として関連付けて前記音量設定情報記憶手段に追加記憶することを特徴とする。
【００１６】
このような特徴を有する本発明によれば、使用者の意思に基づき、本装置を実際に使用している状況をそのまま音量設定情報として音量設定情報記憶手段に記憶することができる。これにより、使用者の利用環境に合わせて、周辺装置の音量設定を行うことができる。
【００１７】
また、本発明の音量調節機能付き情報処理装置は、音声情報を入力または出力可能な周辺装置が１または複数個接続されている情報処理装置において、前記各周辺装置に設定された入力または出力に関する音量設定情報を複数記憶できる音量設定情報記憶手段と、この音量設定情報記憶手段に記憶された音量設定情報の再設定を指示する音量再設定指示手段と、この音量再設定指示手段の指示により音量再設定が有効となったとき、前記音量設定情報記憶手段に記憶されている音量設定情報を参照し、参照した音量設定情報に従って前記周辺装置の音量を再設定する音量再設定制御手段とを備えたことを特徴とする。
【００１８】
このような特徴を有する本発明によれば、音量再設定制御手段は、音量再設定指示手段の指示により音量再設定が有効となったとき、音量設定情報記憶手段に記憶されている音量設定情報に従って周辺装置の音量を自動的に再設定するので、使用者は、音量再設定指示手段を操作するだけの簡単な操作で、周辺装置の音量を最適な音量に再設定することができる。
【００１９】
また、本発明の音量調節機能付き情報処理装置によれば、前記音量設定情報記憶手段には、前記各周辺装置に設定されている音量設定情報が任意の時刻情報に関連付けられて記憶されており、前記音量再設定制御手段は、前記音量再設定指示手段の指示により音量再設定が有効となったときの時刻を取得し、取得した時刻と前記音量設定情報記憶手段に記憶されている時刻情報とを比較し、取得した時刻を含む時刻情報がある場合には、その時刻情報に関連付けられている音量設定情報を前記周辺装置の音量として再設定することを特徴とする。
【００２０】
このような特徴を有する本発明によれば、時刻情報に応じて周辺装置の音量を変えることができる。これにより、利用目的および利用環境に合わせて、周辺装置の音量を最適な音量に再設定することができる。
【００２１】
また、本発明の音量調節機能付き情報処理装置によれば、前記音量設定情報記憶手段には、前記各周辺装置に設定されている音量設定情報が本装置にインストールされているプログラム（以下「応用プログラム」という。）に関連付けられて記憶されており、前記音量再設定制御手段は、前記音量再設定指示手段の指示により音量再設定が有効となったときに実行されている応用プログラムに基づいて前記音量設定情報記憶手段に記憶されている応用プログラムを検索し、一致する応用プログラムがある場合にはその応用プログラムに関連付けられている音量設定情報を前記周辺装置の音量として再設定することを特徴とする。
【００２２】
このような特徴を有する本発明によれば、現在実行されている応用プログラムに応じて周辺装置の音量を変えることができる。これにより、利用目的および利用環境に合わせて、周辺装置の音量を最適な音量に再設定することができる。
【００２３】
また、本発明の音量調節機能付き情報処理装置によれば、前記音量設定情報記憶手段には、前記各周辺装置に設定されている音量設定情報が任意の時刻情報と本装置にインストールされている応用プログラムとに関連付けられて記憶されており、前記音量再設定制御手段は、前記音量再設定指示手段の指示により音量再設定が有効となったときの時刻とそのときに実行されている応用プログラムの種類とを取得し、取得した時刻と前記音量設定情報記憶手段に記憶されている時刻情報とを比較し、取得した時刻を含む時刻情報があり、かつその時刻情報に関連付けられている応用プログラムが前記実行されている応用プログラムと一致する場合には、その応用プログラムに関連付けられている音量設定情報を前記周辺装置の音量として再設定することを特徴とする。
【００２４】
このような特徴を有する本発明によれば、時刻情報と現在実行されている応用プログラムとに応じて、周辺装置の音量を変えることができる。これにより、利用目的および利用環境に合わせて、周辺装置の音量を最適な音量に再設定することができる。
【００２５】
また、本発明の音量調節機能付き情報処理装置によれば、前記音量設定情報記憶手段には、前記各周辺装置に設定されている音量設定情報が本装置にインストールされている応用プログラムに関連付けられて記憶されており、前記音量再設定制御手段は、実行されている応用プログラムのうち最も実行優先度が高い応用プログラムに基づいて前記音量設定情報記憶手段に記憶されている応用プログラムを検索し、一致する応用プログラムがある場合にはその応用プログラムに関連付けられている音量設定情報を前記周辺装置の音量として再設定することを特徴とする。
【００２６】
このような特徴を有する本発明によれば、最も実行優先度が高い応用プログラムに応じて周辺装置の音量を変えることができる。これにより、利用目的および利用環境に合わせて、周辺装置の音量を最適な音量に再設定することができる。
【００２７】
また、本発明の音量調節機能付き情報処理によれば、前記音量設定情報記憶手段には、前記各周辺装置に設定されている音量設定情報が任意の時刻情報と本装置にインストールされている応用プログラムとに関連付けられて記憶されており、前記音量再設定制御手段は、前記音量再設定指示手段の指示により音量再設定が有効となったときの時刻を取得し、取得した時刻と前記音量設定情報記憶手段に記憶されている時刻情報とを比較し、取得した時刻を含む時刻情報がある場合には、その時刻情報に関連付けられている応用プログラムと最も実行優先度が高い応用プログラムとを比較し、一致する応用プログラムがある場合には、その応用プログラムに関連付けられている音量設定情報を前記周辺装置の音量として再設定することを特徴とする。
【００２８】
このような特徴を有する本発明によれば、時刻情報と最も実行優先度が高い応用プログラムとに応じて、周辺装置の音量を変えることができる。これにより、利用目的および利用環境に合わせて、周辺装置の音量を最適な音量に再設定することができる。
【００２９】
また、本発明の音量調節機能付き情報処理装置によれば、前記音量設定情報記憶手段には、前記各周辺装置に設定されている音量設定情報が本装置にインストールされている応用プログラムに関連付けられて記憶されており、前記音量再設定制御手段は、実行されている応用プログラムのうち最も表示優先度が高い応用プログラムに基づいて前記音量設定情報記憶手段に記憶されている応用プログラムを検索し、一致する応用プログラムがある場合にはその応用プログラムに関連付けられている音量設定情報を前記周辺装置の音量として再設定することを特徴とする。
【００３０】
このような特徴を有する本発明によば、最も表示優先度が高い応用プログラムに応じて周辺装置の音量を変えることができる。これにより、利用目的および利用環境に合わせて、周辺装置の音量を最適な音量に再設定することができる。
【００３１】
また、本発明の音量調節機能付き情報処理によれば、前記音量設定情報記憶手段には、前記各周辺装置に設定されている音量設定情報が任意の時刻情報と本装置にインストールされている応用プログラムとに関連付けられて記憶されており、前記音量再設定制御手段は、前記音量再設定指示手段の指示により音量再設定が有効となったときの時刻を取得し、取得した時刻と前記音量設定情報記憶手段に記憶されている時刻情報とを比較し、取得した時刻を含む時刻情報がある場合には、その時刻情報に関連付けられている応用プログラムと最も表示優先度が高い応用プログラムとを比較し、一致する応用プログラムがある場合には、その応用プログラムに関連付けられている音量設定情報を前記周辺装置の音量として再設定することを特徴とする。
【００３２】
このような特徴を有する本発明によれば、時刻情報と最も表示優先度が高い応用プログラムとに応じて、周辺装置の音量を変えることができる。これにより、利用目的および利用環境に合わせて、周辺装置の音量を最適な音量に再設定することができる。
【００３３】
また、本発明の音量調節機能付き情報処理装置によれば、前記音量設定情報記憶手段には、登録されている複数の使用者ごとに音量設定情報が記憶されていることを特徴とする。
【００３４】
このような特徴を有する本発明によれば、使用者ごとに、利用目的および利用環境に合わせて、周辺装置の音量を最適な音量に再設定することができる。
【００３５】
また、本発明の音量調節機能付き情報処理装置によれば、前記音量設定記憶制御手段は、前記音量設定情報記憶手段への音量設定情報の記憶を行った後、記憶処理が完了したことを使用者に報知する報知手段を備えたことを特徴とする。また、前記音量再設定制御手段は、前記音量設定情報記憶手段への音量設定情報の再設定処理を行った後、再設定処理が完了したことを使用者に報知する報知手段を備えたことを特徴とする。この場合、前記報知手段が、完了を知らせる音または音声を報知する音報知手段および／または完了メッセージを表示する表示手段であることを特徴とする。
【００３６】
このような特徴を有する本発明によれば、音量設定情報の記憶処理が完了したこと、および音量設定情報の再設定処理が完了したことを、使用者に確実に知らせることができる。
【００３７】
【発明の実施の形態】
以下、本発明の実施の形態について、図面を参照して説明する。
【００３８】
図１は、本発明の音量調節機能付き情報処理装置の電気的構成を示す機能ブロック図を示している。
【００３９】
本実施形態の情報処理装置は、各種演算処理を行うＣＰＵ１と、プログラムの演算結果や各種処理の確認を知らせる完了メッセージ等を表示する表示装置２と、システムプログラム等が記憶されているＲＯＭ３と、各種の応用プログラムやデータをはじめ後述する音量設定リストを記憶するＲＡＭ４と、現在時刻の読み出しを行うことができる時計制御装置５と、命令等の入力を行うキーボード６と、図示しない電話回線を通じてデータ通信を行うモデム７と、音楽ＣＤの再生を行うことができるＣＤ再生装置８と、音声データを処理することができる音声処理装置９とを備え、これらが内部バス１０を介して接続された構成となっている。
【００４０】
また、音声処理装置９には、モデム７とＣＤ再生装置８との音声出力が接続されており、キーボード６には、音量設定記憶指示を行う音量記憶指示スイッチ１１と、音量再設定指示を行う音量再設定指示スイッチ１２とが接続されている。
【００４１】
また、キーボード６には、音量の再設定を自動で行う場合に、応用プログラムが起動されたときにその応用プログラムと時刻とに対応付けられている音量設定情報によって音量を再設定する方式（以下、「起動同期方式」という。）、最も実行の優先度が高い応用プログラムと時刻とに対応付けられている音量設定情報によって音量を再設定する方式（以下、「優先実行同期方式」という。）、最も表示の優先度が高い応用プログラムと時刻とに対応付けられている音量設定情報によって音量を再設定する方式（以下、「優先表示同期方式」という。）、および、応用プログラムの状態には依存しないで時刻だけに対応付けられている音量設定情報によって音量を再設定する方式（以下、「時刻同期方式」という。）のうちから１つを決定するための指示手段である設定方式指示スイッチ１３が接続されている。
【００４２】
図２は、図１に示す音声処理装置９の内部構成を示すブロック図である。
【００４３】
本実施形態では、この音声処理装置９は、内部バス１０を介して情報処理装置本体との間でデータ入出力を行う入出力インターフェイス回路（入出力Ｉ／Ｆ回路）９１と、モデム７から出力される音声信号を増幅する増幅回路９２と、ＣＤ再生装置８から出力される音声信号を増幅する増幅回路９３と、これら増幅回路９２，９３の増幅レベルを制御する制御回路９４と、増幅回路９２，９３によって増幅された音声信号を合成する合成回路９５と、合成回路９５によって合成された音声信号を出力するスピーカ９６とからなる。
【００４４】
図３は、ＲＡＭ４に記憶されている音量設定リストのデータ構造を示している。この音量設定リストは、時間帯を表現することができる開始時刻と終了時刻とからなる時刻情報と、応用プログラム名と、音量設定情報（音量レベルの情報）とからなる配列構造となっている。音量設定リストの要素はｎ個存在する。なお、この音量設定リストは、本情報処理装置に登録されている使用者ごとに用意されている。
【００４５】
次に、上記構成の情報処理装置における各種処理動作について、図４ないし図９に示すフローチャートを適宜参照して説明する。
【００４６】
本実施形態では、図４ないし図９のフローチャートで示される処理の流れは一定時間に１回実行される。
【００４７】
まず、プログラムが開始されると、音量記憶指示スイッチ１１が押されたか否かを調べる（ステップＳ１）。その結果、音量記憶指示スイッチ１１が押されている場合（ステップＳ１でＹｅｓと判断された場合）には、音量記憶処理を実行する（ステップＳ２）。
【００４８】
一方、音量記憶指示スイッチ１１が押されていない場合（ステップＳ１でＮｏと判断された場合）には、次に、音量再設定指示スイッチ１２が押されたか否かを調べる（ステップＳ３）。その結果、音量再設定スイッチ１２が押されている場合（ステップＳ３でＹｅｓと判断された場合）には、音量再設定処理Ａを実行する（ステップＳ４）。
【００４９】
一方、音量再設定スイッチ１２が押されていない場合（ステップＳ３でＮｏと判断された場合）には、次に、オペレーティングシステムのサービス等を利用して、新たに応用プログラムが起動されたか否かを調べる。その結果、新たに応答プログラムが起動されていれば、音量再設定処理Ｂを実行する（ステップＳ６）。
【００５０】
一方、新たに応用プログラムが起動されていない場合（ステップＳ５でＮｏと判断された場合）には、次に、オペレーティングシステムのサービス等を利用して、実行中の応用プログラムのうち最も表示の優先度が高いものを調べ、前回調査時から表示優先順位が変更されたか否かを判断する（ステップＳ７）。その結果、応用プログラムの表示優先順位が変更されていれば（ステップＳ７でＹｅｓと判断されれば）、音量再設定処理Ｃを実行する（ステップＳ８）。
【００５１】
一方、応用プログラムの表示優先順位が変更されていない場合（ステップＳ７でＮｏと判断された場合）には、次に、オペレーティングシステムのサービス等を利用して、実行中の応用プログラムのうち最も実行の優先順位が高いものを調べ、前回調査時から実行優先順位が変更されたか否かを判断する（ステップＳ９）。その結果、応用プログラムの実行優先順位が変更されていれば（ステップＳ９でＹｅｓと判断されれば）、音量再設定処理Ｄを実行する（ステップＳ１０）。
【００５２】
一方、応用プログラムの実行優先順位が変更されていない場合（ステップＳ９でＮｏと判断された場合）には、そのまま処理を終了する。
【００５３】
次に、上記ステップＳ２の音量記憶処理、ステップＳ４の音量再設定処理Ａ、ステップＳ６の音量再設定処理Ｂ、ステップＳ８の音量再設定処理Ｃ、ステップＳ１０の音量再設定処理Ｄ、について順次説明する。
【００５４】
（１）ステップＳ２の音量記憶処理（図５参照）
音量記憶処理では、まず、時計制御装置５から読み出した現在時刻から適切な開始時刻と終了時刻とを求める（ステップＳ２−１）。次に、音声処理装置９から各周辺装置の音量レベルを読み出す（ステップＳ２−２）。その後、オペレーティングシステムのサービス等を利用して情報処理装置の現在の使用者を特定し、ＲＡＭ４に記憶されている音量設定リストから、参照すべき音量設定リストを決定する（ステップＳ２−３）。音量設定リストを決定したら、次に設定方式指示スイッチ１３の状態を確認する（ステップＳ２−４、ステップＳ２−６、ステップＳ２−８）。
【００５５】
その結果、起動同期方式が指定されている場合（ステップＳ２−４でＹｅｓと判断された場合）には、オペレーティングシステムのサービス等を利用して、最後に起動された応用プログラムを特定し（ステップＳ２−５）、優先同期表示方式が指定されている場合（ステップＳ２−６でＹｅｓと判断された場合）には、オペレーティングシステムのサービス等を利用して最も優先して表示されている応用プログラムを特定し（ステップＳ２−７）、優先実行同期方式が指定されている場合（ステップＳ２−８でＹｅｓと判断された場合）には、オペレーティングシステムのサービス等を利用して最も優先して実行されている応用プログラムを特定する（ステップＳ２−９）。
【００５６】
このようにして設定方式指示スイッチ１３の状態によって応用プログラムを特定すると、特定した応用プログラム名とすでに求めた開始時刻と終了時刻の全てか一致する要素を音量設定リストから検索する（ステップＳ２−１０）。
【００５７】
一方、設定方式指示スイッチ１３の状態が時刻同期方式である場合（ステップＳ２−４、ステップＳ２−６、ステップＳ２−８のすべての判断がＮｏの場合）には、すでに求めた開始時刻と終了時刻とが一致し、応用プログラム名が登録されていない要素を音量設定リストから検索する（ステップＳ２−１１）。そして、音量設定リストの検索結果を判断し（ステップＳ２−１２）、該当する要素がある場合（（ステップＳ２−１２でＹｅｓと判断された場合）には、ステップＳ２−２においてすでに音量処理装置９から読み出してある各周辺装置の音量を、該当する要素中の音量設定情報として更新記憶する（ステップＳ２−１３）。
【００５８】
一方、該当する要素が存在しない場合（ステップＳ２−１２でＮｏと判断された場合）には、開始時刻と終了時刻と応用プログラム名と音声処理装置９から読み出してある各周辺装置の音量レベルの情報とを、新しい要素として音量設定リストに追加記憶する（ステップＳ２−１４）。
【００５９】
このようにして、音量設定リスト中の要素の更新、もしくは追加が完了すると、記憶完了通知音を音声処理装置９のスピーカ９６から出力するとともに、記憶完了メッセージを表示装置２に出力して、使用者に記憶が完了したことを通知する（ステップＳ２−１５）。
【００６０】
（２）ステップＳ４の音量再設定処理Ａ（図６参照）
音量再設定処理Ａでは、まず、時計制御装置５から現在時刻を読み出す（ステップＳ４−１）。そして、オペレーティングシステムのサービス等を利用して情報処理装置の現在の使用者を特定し、ＲＡＭ４に記憶されている音量設定リストから、参照すべき音量設定リストを決定する（ステップＳ４−２）。音量設定リストを決定したら、現在時刻が開始時刻と終了時刻との間に収まっており、かつ、応用プログラム名が登録されていない要素を音量設定リストから検索する（ステップＳ４−３）。そして、音量設定リストの検索結果を判断し（ステップＳ４−４）、該当する要素が存在しない場合（ステップＳ４−４でＮｏと判断された場合）には、そのまま処理を終了する。
【００６１】
一方、該当する要素がある場合（ステップＳ４−４でＹｅｓと判断された場合）には、音量設定リスト中の該当要素より音量設定情報を読み出し（ステップＳ４−５）、読み出した音量設定情報から各周辺装置の音量を音量処理装置９に設定する（ステップＳ４−６）。
【００６２】
このようにして、再設定処理が完了すると、再設定完了通知音を音声処理装置９のスピーカ９６から出力するとともに、再設定完了メッセージを表示装置２に出力して、使用者に再設定が完了したことを通知する（ステップＳ４−７）。
【００６３】
（３）ステップＳ６の音量再設定処理Ｂ（図７参照）
音量再設定処理Ｂでは、まず、設定方式指示スイッチ１３の状態を確認し（ステップＳ６−１）、設定方式が起動同期方式でない場合はそのまま処理を終了する。
【００６４】
一方、設定方式が起動同期方式である場合（ステップＳ６−１でＹｅｓと判断された場合）には、次に、時計制御装置５から現在時刻を読み出す（ステップＳ６−２）。そして、オペレーティングシステムのサービス等を利用して情報処理装置の現在の使用者を特定し、ＲＡＭ４に記憶されている音量設定リストから、参照すべき音量設定リストを決定する（ステップＳ６−３）。音量設定リストを決定したら、現在時刻が開始時刻と終了時刻との間に収まっており、かつ、図５に示すステップＳ２−５で求めた、新たに起動された応用プログラム名が登録されている要素を音量設定リストから検索する（ステップＳ６−４）。そして、音量設定リストの検索結果を判断し（ステップＳ６−５）、該当する要素が存在しない場合（ステップＳ６−５でＮｏと判断された場合）には、そのまま処理を終了する。
【００６５】
一方、該当する要素がある場合（ステップＳ６−５でＹｅｓと判断された場合）には、音量設定リスト中の該当要素より音量設定情報を読み出し（ステップＳ６−６）、読み出した音量設定情報から各周辺装置の音量を音量処理装置９に設定する（ステップＳ６−７）。
【００６６】
このようにして、再設定処理が完了すると、再設定完了通知音を音声処理装置９のスピーカ９６から出力するとともに、再設定完了メッセージを表示装置２に出力して、使用者に再設定が完了したことを通知する（ステップＳ６−８）。
【００６７】
（４）ステップＳ８の音量再設定処理Ｃ（図８参照）
音量再設定処理Ｃでは、まず、設定方式指示スイッチ１３の状態を確認し（ステップＳ８−１）、設定方式が優先表示同期方式でない場合はそのまま処理を終了する。
【００６８】
一方、設定方式が優先表示同期方式である場合（ステップＳ８−１でＹｅｓと判断された場合）には、次に、時計制御装置５から現在時刻を読み出す（ステップＳ８−２）。そして、オペレーティングシステムのサービス等を利用して情報処理装置の現在の使用者を特定し、ＲＡＭ４に記憶されている音量設定リストから、参照すべき音量設定リストを決定する（ステップＳ８−３）。音量設定リストを決定したら、現在時刻が開始時刻と終了時刻との間に収まっており、かつ、図５に示すステップＳ２−７で求めた、最も優先表示されている応用プログラム名が登録されている要素を音量設定リストから検索する（ステップＳ８−４）。そして、音量設定リストの検索結果を判断し（ステップＳ８−５）、該当する要素が存在しない場合（ステップＳ８−５でＮｏと判断された場合）には、そのまま処理を終了する。
【００６９】
一方、該当する要素がある場合（ステップＳ８−５でＹｅｓと判断された場合）には、音量設定リスト中の該当要素より音量設定情報を読み出し（ステップＳ８−６）、読み出した音量設定情報から各周辺装置の音量を音量処理装置９に設定する（ステップＳ８−７）。
【００７０】
このようにして、再設定処理が完了すると、再設定完了通知音を音声処理装置９のスピーカ９６から出力するとともに、再設定完了メッセージを表示装置２に出力して、使用者に再設定が完了したことを通知する（ステップＳ８−８）。
【００７１】
（５）ステップＳ１０の音量再設定処理Ｄ（図９参照）
音量再設定処理Ｄでは、まず、設定方式指示スイッチ１３の状態を確認し（ステップＳ１０−１）、設定方式が優先実行同期方式でない場合はそのまま処理を終了する。
【００７２】
一方、設定方式が優先実行同期方式である場合（ステップＳ１０−１でＹｅｓと判断された場合）には、次に、時計制御装置５から現在時刻を読み出す（ステップＳ１０−２）。そして、オペレーティングシステムのサービス等を利用して情報処理装置の現在の使用者を特定し、ＲＡＭ４に記憶されている音量設定リストから、参照すべき音量設定リストを決定する（ステップＳ１０−３）。音量設定リストを決定したら、現在時刻が開始時刻と終了時刻との間に収まっており、かつ、図５に示すステップＳ２−９で求めた、最も優先実行されている応用プログラム名が登録されている要素を音量設定リストから検索する（ステップＳ１０−４）。そして、音量設定リストの検索結果を判断し（ステップＳ１０−５）、該当する要素が存在しない場合（ステップＳ１０−５でＮｏと判断された場合）には、そのまま処理を終了する。
【００７３】
一方、該当する要素がある場合（ステップＳ１０−５でＹｅｓと判断された場合）には、音量設定リスト中の該当要素より音量設定情報を読み出し（ステップＳ１０−６）、読み出した音量設定情報から各周辺装置の音量を音量処理装置９に設定する（ステップＳ１０−７）。
【００７４】
このようにして、再設定処理が完了すると、再設定完了通知音を音声処理装置９のスピーカ９６から出力するとともに、再設定完了メッセージを表示装置２に出力して、使用者に再設定が完了したことを通知する（ステップＳ１０−８）。
【００７５】
【発明の効果】
本発明の音量調節機能付き情報処理装置によれば、音量設定記憶制御手段は、音量記憶指示手段の指示により音量設定記憶が有効となったとき、各周辺装置に設定されている音量設定情報を音量設定情報記憶手段に自動的に記憶するので、使用者は、音量記憶指示手段を操作するだけの簡単な操作で、音量設定情報を記憶させることができる。
【００７６】
また、本発明の音量調節機能付き情報処理装置によれば、音量設定記憶制御手段は、各周辺装置に設定されている音量設定情報と任意の時刻情報とを関連付けて音量設定情報記憶手段に記憶する構成としたので、時刻情報を考慮した音量設定情報を音量設定情報記憶手段に記憶させることができる。
【００７７】
また、本発明の音量調節機能付き情報処理装置によれば、音量設定記憶制御手段は、音量記憶指示手段の指示により音量設定記憶が有効となったときの時刻と各周辺装置の音量レベルとを取得し、取得した時刻と音量設定情報記憶手段に記憶されている時刻情報とを比較し、取得した時刻を含む時刻情報がある場合には、その時刻情報に関連付けられている音量設定情報を取得した音量レベルの情報に更新記憶する構成としたので、時刻情報に応じて記憶する音量設定情報を変えることができるので、利用目的および利用環境に合わせて、周辺装置の音量設定を行うことができる。
【００７８】
また、本発明の音量調節機能付き情報処理装置によれば、音量設定記憶制御手段は、音量記憶指示手段の指示により音量設定記憶が有効となったときの時刻と各周辺装置の音量レベルとを取得し、取得した時刻と音量設定情報記憶手段に記憶されている時刻情報とを比較し、取得した時刻を含む時刻情報がない場合には、その取得した時刻を含む時刻情報と取得した音量レベルとを新たな音量設定情報として関連付けて音量設定情報記憶手段に追加記憶する構成としたので、使用者の意思に基づき、本装置を実際に使用している状況をそのまま音量設定情報として音量設定情報記憶手段に記憶することができる。これにより、使用者の利用環境に合わせて、周辺装置の音量設定を行うことができる。
【００７９】
また、本発明の音量調節機能付き情報処理装置によれば、音量再設定制御手段は、音量再設定指示手段の指示により音量再設定が有効となったとき、音量設定情報記憶手段に記憶されている音量設定情報に従って周辺装置の音量を自動的に再設定するので、使用者は、音量再設定指示手段を操作するだけの簡単な操作で、周辺装置の音量を最適な音量に再設定することができる。
【００８０】
また、本発明の音量調節機能付き情報処理装置によれば、音量設定情報記憶手段には、各周辺装置に設定されている音量設定情報が任意の時刻情報に関連付けられて記憶されており、音量再設定制御手段は、音量再設定指示手段の指示により音量再設定が有効となったときの時刻を取得し、取得した時刻と音量設定情報記憶手段に記憶されている時刻情報とを比較し、取得した時刻を含む時刻情報がある場合には、その時刻情報に関連付けられている音量設定情報を周辺装置の音量として再設定する構成としたので、時刻情報に応じて周辺装置の音量を変えることができる。これにより、利用目的および利用環境に合わせて、周辺装置の音量を最適な音量に再設定することができる。
【００８１】
また、本発明の音量調節機能付き情報処理装置によれば、音量設定情報記憶手段には、各周辺装置に設定されている音量設定情報が本装置にインストールされている応用プログラムに関連付けられて記憶されており、音量再設定制御手段は、音量再設定指示手段の指示により音量再設定が有効となったときに実行されている応用プログラムに基づいて音量設定情報記憶手段に記憶されている応用プログラムを検索し、一致する応用プログラムがある場合にはその応用プログラムに関連付けられている音量設定情報を周辺装置の音量として再設定する構成としたので、現在実行されている応用プログラムに応じて周辺装置の音量を変えることができる。これにより、利用目的および利用環境に合わせて、周辺装置の音量を最適な音量に再設定することができる。
【００８２】
また、本発明の音量調節機能付き情報処理装置によれば、音量設定情報記憶手段には、各周辺装置に設定されている音量設定情報が任意の時刻情報と本装置にインストールされている応用プログラムとに関連付けられて記憶されており、音量再設定制御手段は、音量再設定指示手段の指示により音量再設定が有効となったときの時刻とそのときに実行されている応用プログラムの種類とを取得し、取得した時刻と音量設定情報記憶手段に記憶されている時刻情報とを比較し、取得した時刻を含む時刻情報があり、かつその時刻情報に関連付けられている応用プログラムが実行されている応用プログラムと一致する場合には、その応用プログラムに関連付けられている音量設定情報を周辺装置の音量として再設定する構成としたので、時刻情報と現在実行されている応用プログラムとに応じて、周辺装置の音量を変えることができる。これにより、利用目的および利用環境に合わせて、周辺装置の音量を最適な音量に再設定することができる。
【００８３】
また、本発明の音量調節機能付き情報処理装置によれば、音量設定情報記憶手段には、各周辺装置に設定されている音量設定情報が本装置にインストールされている応用プログラムに関連付けられて記憶されており、音量再設定制御手段は、実行されている応用プログラムのうち最も実行優先度が高い応用プログラムに基づいて音量設定情報記憶手段に記憶されている応用プログラムを検索し、一致する応用プログラムがある場合にはその応用プログラムに関連付けられている音量設定情報を前記周辺装置の音量として再設定する構成としたので、最も実行優先度が高い応用プログラムに応じて周辺装置の音量を変えることができる。これにより、利用目的および利用環境に合わせて、周辺装置の音量を最適な音量に再設定することができる。
【００８４】
また、本発明の音量調節機能付き情報処理によれば、音量設定情報記憶手段には、各周辺装置に設定されている音量設定情報が任意の時刻情報と本装置にインストールされている応用プログラムとに関連付けられて記憶されており、音量再設定制御手段は、音量再設定指示手段の指示により音量再設定が有効となったときの時刻を取得し、取得した時刻と音量設定情報記憶手段に記憶されている時刻情報とを比較し、取得した時刻を含む時刻情報がある場合には、その時刻情報に関連付けられている応用プログラムと最も実行優先度が高い応用プログラムとを比較し、一致する応用プログラムがある場合には、その応用プログラムに関連付けられている音量設定情報を周辺装置の音量として再設定する構成としたので、時刻情報と最も実行優先度が高い応用プログラムとに応じて、周辺装置の音量を変えることができる。これにより、利用目的および利用環境に合わせて、周辺装置の音量を最適な音量に再設定することができる。
【００８５】
また、本発明の音量調節機能付き情報処理装置によれば、音量設定情報記憶手段には、前記各周辺装置に設定されている音量設定情報が本装置にインストールされている応用プログラムに関連付けられて記憶されており、音量再設定制御手段は、実行されている応用プログラムのうち最も表示優先度が高い応用プログラムに基づいて音量設定情報記憶手段に記憶されている応用プログラムを検索し、一致する応用プログラムがある場合にはその応用プログラムに関連付けられている音量設定情報を周辺装置の音量として再設定する構成としたので、最も表示優先度が高い応用プログラムに応じて周辺装置の音量を変えることができる。これにより、利用目的および利用環境に合わせて、周辺装置の音量を最適な音量に再設定することができる。
【００８６】
また、本発明の音量調節機能付き情報処理によれば、音量設定情報記憶手段には、各周辺装置に設定されている音量設定情報が任意の時刻情報と本装置にインストールされている応用プログラムとに関連付けられて記憶されており、音量再設定制御手段は、音量再設定指示手段の指示により音量再設定が有効となったときの時刻を取得し、取得した時刻と音量設定情報記憶手段に記憶されている時刻情報とを比較し、取得した時刻を含む時刻情報がある場合には、その時刻情報に関連付けられている応用プログラムと最も表示優先度が高い応用プログラムとを比較し、一致する応用プログラムがある場合には、その応用プログラムに関連付けられている音量設定情報を周辺装置の音量として再設定する構成としたので、時刻情報と最も表示優先度が高い応用プログラムとに応じて、周辺装置の音量を変えることができる。これにより、利用目的および利用環境に合わせて、周辺装置の音量を最適な音量に再設定することができる。
【００８７】
また、本発明の音量調節機能付き情報処理装置によれば、音量設定情報記憶手段には、登録されている複数の使用者ごとに音量設定情報が記憶された構成としたので、使用者ごとに、利用目的および利用環境に合わせて、周辺装置の音量を最適な音量に再設定することができる。
【００８８】
また、本発明の音量調節機能付き情報処理装置によれば、音量設定記憶制御手段は、音量設定情報記憶手段への音量設定情報の記憶を行った後、記憶処理が完了したことを使用者に報知する報知手段を備えた構成としている。また、音量再設定制御手段は、音量設定情報記憶手段への音量設定情報の再設定処理を行った後、再設定処理が完了したことを使用者に報知する報知手段を備えた構成としている。そして、この報知手段として、完了を知らせる音または音声を報知する音報知手段および／または完了メッセージを表示する表示手段を用いた構成としている。これにより、音量設定情報の記憶処理が完了したこと、および音量設定情報の再設定処理が完了したことを、使用者に確実に知らせることができる。
【図面の簡単な説明】
【図１】本発明の音量調節機能付き情報処理装置の電気的構成を示す機能ブロック図である。
【図２】図１に示す音声処理装置の内部構成を示すブロック図である。
【図３】ＲＡＭに記憶されている音量設定リストのデータ構造を示す説明図である。
【図４】音量調整機能における音量設定情報記憶と音量再設定の制御の流れの一例を示すフローチャートである。
【図５】音量調整機能における音量設定情報記憶の流れの一例を示すフローチャートである。
【図６】音量調整機能における音量再設定処理Ａの流れの一例を示すフローチャートである。
【図７】音量調整機能における音量再設定処理Ｂの流れの一例を示すフローチャートである。
【図８】音量調整機能における音量再設定処理Ｃの流れの一例を示すフローチャートである。
【図９】音量調整機能における音量再設定処理Ｄの流れの一例を示すフローチャートである。
【符号の説明】
１  ＣＰＵ（音量設定記憶制御手段，音量再設定制御手段）
２  表示装置
３  ＲＯＭ
４  ＲＡＭ
５  時計制御装置
６  キーボード
７  モデム
８  ＣＤ再生装置
９  音量処理装置
１０  内部バス
１１  音量記憶指示スイッチ（音量記憶指示手段）
１２  音量再設定指示スイッチ（音量再設定指示手段）
１３  設定方式指示スイッチ
【図１】
0004716618.tif 000002
【図２】
0004716618.tif 000003
【図３】
0004716618.tif 000004
【図４】
0004716618.tif 000005
【図５】
0004716618.tif 000006
【図６】
0004716618.tif 000007
【図７】
0004716618.tif 000008
【図８】
0004716618.tif 000009
【図９】
0004716618.tif 000010